(57)【要約】      （修正有）【課題】貴重品を窃盗犯に発見させない、又は発見を遅らせるために、貴重品が入っているとは通常考えない、ＤＶＤ、又はブルーレイディスク等の収納ケースと同様の外観を備えた貴重品収納ケースを提供する。【解決手段】本体ケース１０と蓋ケース１１を有して継手部１２を介して開閉可能とし、本体ケース表面の側縁部と蓋ケース表面の側縁部にはタイトル紙を挟むことが出来る透明シートの側端を止着して陳列ケース表面に張着したケースにおいて、本体ケースと蓋ケースは爪部１５を備え、本体ケースと蓋ケースが閉じる際に互いに噛み合いって係止し、本体ケースには貴重品の少なくとも２辺以上の外形辺を案内する突起部２１と、貴重品の厚み方向を押える１個以上の弾性爪２３を備えた事を特徴とする。【選択図】図３
0003185800.tif 000002
【実用新案登録請求の範囲】
【請求項１】
広く販売されている記録媒体ケースと同様の外観を備えた貴重品収納ケースであって、該ケースは本体ケースと蓋ケースを有して継手部を介して開閉可能とし、本体ケース表面の側縁部と蓋ケース表面の側縁部にはタイトル紙を挟むことが出来る透明シートの側端を止着して陳列ケース表面に張着したケースにおいて、本体ケースと蓋ケースは爪部を備え、本体ケースと蓋ケースが閉じる際に互いに噛み合いって係止し、本体ケースには貴重品の少なくとも２辺以上の外形辺を案内する突起部と、貴重品の厚み方向を押える１個以上の弾性爪を備えた事を特徴とする貴重品収納ケース。
【請求項２】
上記記載の貴重品が、金融関係の預貯金通帳、又はキャッシュカード、銀行カード、現金などであって、通帳やカード単独、又はそれらを複合的に複数収納する事を特徴とする請求項１に記載の貴重品収納ケース。
【請求項３】
上記記載の広く販売されている記録媒体ケースが、ＣＤ、ＤＶＤ、又はブルーレイディスク、又はゲームソフトのいずれかである事を特徴とする請求項１又は請求項２に記載の貴重品収納ケース。
【考案の詳細な説明】
【技術分野】
【０００１】
本考案は、貴重品の収納ケ−スに関するものである。
【背景技術】
【０００２】
残念ではあるが、個人の自宅や会社に泥棒が侵入し、貴重品を盗まれる窃盗事件は、多数発生している。貴重品として現金のほか金融機関の預貯金通帳、銀行カードを盗まれることも多い。
【０００３】
窃盗犯に発見させない。又は発見を遅らせるために、貴重品が入っているとは思わないものに貴重品を隠す事も防犯の一つであり、従来から書籍の内部をくり抜き、くり抜いた部分に貴重品を隠す方法が知られている。
【０００４】
従来、預貯金通帳の収納ケ−スとしては、実用新案出願公開６１−２０１８７３号に記載された「通帳保持ケ−ス」、特開平８−２９５０７１号に記載された「預金通帳及び印鑑収納ケ−ス」は存在している。しかしながら、これらは単にケースであり、積極的に防犯を目的とするケースの提案ではなかった。
【０００５】
また、収納ケースとしては、特許第３２７８３４３号に記載された「ディスクカートリッジ収納ケース」、特許第３５０７５５７号に記載された「収納ケース」、特許第３５５３０９８号に記載された「収納ケース」、なども提案されているが、これらは預貯金通帳、銀行カードの収納ケースではなかった。
【０００６】
近年、ＤＶＤ、ブルーレイディスクが普及し、ＤＶＤ、ブルーレイディスクは、家庭や会社にも多数保管している場合も多い。ＣＤ、ＤＶＤ、ゲームソフト等の円盤状記録媒体であるディスクの収容ケースとして、特許第４０２７７９４号に係る「円盤状記録媒体の収納ケース」があり、本考案者が提案している。  
【特許文献１】実開６１−２０１８７３号
【特許文献２】特開平８−２９５０７１号
【特許文献３】特許第３２７８３４３号
【特許文献４】特許第３５０７５５７号
【特許文献５】特許第３５５３０９８号
【特許文献６】特許第４０２７７９４号
【考案の概要】
【考案が解決しようとする課題】
【０００７】
本考案は、貴重品を窃盗犯に発見させない。又は発見を遅らせるために、貴重品が入っているとは通常考えない貴重品の収納ケースであって、外観的に、ＤＶＤ、又はブルーレイディスク等の収納ケースである事を特徴とする貴重品収納ケースを提供することにある。
【課題を解決するための手段】
【０００８】
上記目的を達成するため本考案の貴重品収納ケースは、広く販売されている記録媒体ケースと同様の外観を備えた貴重品収納ケースであって、該ケースは本体ケースと蓋ケースを有して継手部を介して開閉可能とし、本体ケース表面の側縁部と蓋ケース表面の側縁部にはタイトル紙を挟むことが出来る透明シートの側端を止着して陳列ケース表面に張着したケースにおいて、本体ケースと蓋ケースは爪部を備え、本体ケースと蓋ケースが閉じる際に互いに噛み合いって係止し、本体ケースには貴重品の少なくとも２辺以上の外形辺を案内する突起部と、貴重品の厚み方向を押える１個以上の弾性爪を備えた事を特徴とする。
【０００９】
たま、上記記載の貴重品が、金融関係の預貯金通帳、又はキャッシュカード、銀行カード、現金などであって、通帳やカード単独、又はそれらを複合的に複数収納する事を特徴とする。
【００１０】
たま、上記記載の広く販売されている記録媒体ケースが、ＣＤ、ＤＶＤ、又はブルーレイディスク、又はゲームソフトのいずれかである事を特徴とする。
【考案の効果】
【００１１】
本考案の貴重品収納ケース内に、金融関係の預貯金通帳を収納し、他のＤＶＤ又はブルーレイディスクの収納ケースと並べて置く事によって、万が一窃盗犯が進入し、貴重品を物色する場合も、ＤＶＤ等の販売ケースと同様の外観を備えた貴重品収納ケースを判別できず、盗難を防止できる。又は貴重品の発見を遅らせる事によって、防犯に寄与する事ができる。
【図面の簡単な説明】
【００１２】
【図１】本実施例に係る貴重品収納ケースを閉じた状態の斜視図である。
【図２】貴重品収納ケースを開いた状態の斜視図である。
【図３】貴重品収納ケースに、貴重品を挿入した状態を示す斜視図である。
【考案を実施するための形態】
【００１３】
本考案において、貴重品収容ケースの外観は、一般に多数出回っているＤＶＤ販売ケースと同様にする事が望ましい。また、ＤＶＤ販売ケース同様の外観にする為、タイトル紙を挟むことが出来る透明シートおよび、タイトル紙も備える必要がある。
【実施例】
【００１４】
本考案の実施例を、図を参照しながら説明する。この時貴重品は預金通帳と銀行カードとしている。ただし、貴重品はこれに限る物ではない。
【００１５】
図１は、本実施例に係る本実施例に係る貴重品収納ケースを閉じた状態の斜視図である。図１において、１０は本体ケース、１１は蓋ケース、１３は指掛け部、１４は側縁部を示している。この時、本体ケース１０の表面の側縁部と蓋ケース１１の表面の側縁部１４にはタイトル紙を挟むことが出来る透明シートの側端を止着して収納ケース表面に張着している。貴重品収納ケースは指掛け部１３に指先を掛けて開放する。
【００１６】
図２は、貴重品収納ケースを開いた状態の斜視図である。１２は継手部を示し、１５は爪部、２１は通帳位置規制リブ、２２は銀行カード位置規制リブ、２３は通帳押え用弾性爪、２４は銀行カード押え爪を示している。収納ケースは本体ケース１０と蓋ケース１１を有して継手部１２を介して開閉可能としている。
【００１７】
また、本体ケース１０と蓋ケース１１は爪部１５を備え、本体ケース１０と蓋ケース１１が閉じる際に互いに噛み合って係止し、収納ケースは閉じた状態となる。
【００１８】
図３は、貴重品収納ケースに、貴重品を挿入した状態を示す斜視図である。５１は預金通帳を示し、５２は銀行カードＡ、５３は銀行カードＢを示している。この時、預金通帳５１は、通帳位置規制リブ２１に３辺をガイドされていて、通帳の厚み方向を通帳押え用弾性爪２３で押される事で、本体ケース１０と２個の通帳押え用弾性爪２３に挟まれる状態で固定されている。但し、通帳の１辺又は２辺のみをガイドする場合もある。
【００１９】
また、銀行カードＡ５２は、銀行カード位置規制リブ２２に３方向をガイドされていて、カードの厚み方向を銀行カード押え用弾性爪２４で押される事で、蓋ケース１１と１個の銀行カード押え用弾性爪２４に挟まれる状態で固定されている。
【００２０】
銀行カードＢ５３は、銀行カード位置規制リブ２２に２方向を誘導されていて、銀行カード押え用弾性爪２４と、蓋ケース１１の間に差し込もうとしている状態を表している。
【産業上の利用可能性】
【００２１】
家庭、会社にて銀行の預金通帳や銀行カードを保管する際、外観が通常のＤＶＤケースと同様の本考案貴重品収納ケースに収納し、他のＤＶＤケースと並べて棚などに保管した場合、窃盗犯が侵入し、貴重品を物色した時も、まさかＤＶＤケースの並びに貯金通帳が隠されているとは思わず、盗難を免れる可能性が高い。
【００２２】
また、数多くのＤＶＤケースを所有している個人、会社の場合、盗人が貴重品にたどり着く為には、全てのＤＶＤケースを開放して中身を確認する必要が有り、非常に時間がかかる事になる。盗人に時間をかけさせる事は、盗難防止になる。
【符号の説明】
【００２３】
１０  本体ケース
１１  蓋ケース
１２  継手部
１３  指掛け部
１４  側縁部
１５  爪部
２１  通帳位置規制リブ
２２  銀行カード位置規制リブ
２３  通帳押え用弾性爪
２４  銀行カード押え用弾性爪
５１  預金通帳
５２  銀行カードＡ
５３  銀行カードＢ
【図１】
0003185800.tif 000003
【図２】
0003185800.tif 000004
【図３】
0003185800.tif 000005